(57)【要約】【課題】発呼番号の入力間違いや通信上の原因により誤って接続された相手先端末への画像データ送信を有効に防止することができる通信端末装置を提供する。【解決手段】接続された相手先端末から受信した非表示機能識別信号に基づいて、同相手側端末が自端末と同じメーカ製であるか否かが判定される。そして、その判定結果を示すメッセージと、画像データ送信の実行又は中止の選択操作を送り手側の操作者に促すメッセージとが表示部に表示される。また、画像データ送信の実行又は中止を同操作者に選択操作させるための機能キーが表示部に表示される。そして、この機能キーに対する選択操作に基づき、画像データの送信が実行又は中止される。【選択図】図２
2007184901.tif 000002
【特許請求の範囲】
【請求項１】
画像データ送信のために接続された相手先端末から受信したコードデータに基づいて同相手側端末が自端末と同じメーカ製であるか否かを判別する判別手段と、
この判別手段による判別結果を送り手側の操作者に報知するとともに画像データ送信の実行又は中止の選択操作を同操作者に促す報知手段と、
画像データ送信の実行又は中止を前記操作者に選択操作させるための操作手段と、
前記報知手段によって選択操作が促されている状態における前記操作手段に対する選択操作に基づき、画像データ送信を実行又は中止させる送信制御手段とを備えたことを特徴とする通信端末装置。
【請求項２】
前記コードデータに基づいて前記相手先端末が自端末と同じ製造国製であるか否かを判別する副判別手段を備え、
前記報知手段は、前記副判別手段による判別結果を操作者に報知するとともに画像データ送信の実行又は中止の選択操作を同操作者に促すことを特徴とする請求項１に記載の通信端末装置。
【請求項３】
前記送信制御手段は、前記操作手段に対する選択操作が行われない状態における経過時間が設定時間を超えたときには、画像データ送信を中止させることを特徴とする請求項１又は請求項２に記載の通信端末装置。
【請求項４】
接続された相手側端末から受信したパスコードを、自端末に予め登録されているパスコードと照合し、両パスコードが一致したときに画像データの送信を許可する送信制限手段を備えたことを特徴とする請求項１〜請求項３のいずれか一項に記載の通信端末装置。
【発明の詳細な説明】
【技術分野】
【０００１】
この発明は、画像データ送信のために接続された相手先端末が自端末と同じメーカ製であるか否かを判別できるようにした通信端末装置に関するものである。
【背景技術】
【０００２】
従来、この種の通信端末装置には、例えば特許文献１に記載されたファクシミリ装置がある。このファクシミリ装置においては、ファックス送信時に、発呼番号の入力に基づいて回線接続された相手先端末からメーカコードを受信し、このメーカコードと同じメーカコードが記憶部に登録されているか否かを制御部が判定する。そして、メーカコードが記憶部に登録されていたときには、メーカコードに対応して記憶部に登録されているメーカ名が制御部によって表示部に表示される。このため、送り手側の操作者は、表示部に表示されるメーカ名を見ることにより、現在接続されている相手先端末がファックス送信の正しい相手先端末であるか否かを判断することができる。そして、表示された相手先端末のメーカ名が、ファックス送信の正しい相手先端末のメーカ名と異なる場合には、操作パネルのストップキーを押すことにより画像データの送信を中止することができるようになっている。
【特許文献１】特開平５−３５２１号公報
【発明の開示】
【発明が解決しようとする課題】
【０００３】
ところで、上記特許文献１のファクシミリ装置において、相手先端末のメーカ名を表示部に表示させるには、相手先端末のメーカコード及びメーカ名を記憶部に予め登録しておく必要がある。このため、初めて接続された相手先端末にファックスを送信しようとするときには、相手先端末のメーカコード又はメーカ名が記憶部に登録されていないことから、ファックス送信時に相手先端末のメーカ名が表示部に表示されない。従って、送り手側の操作者は、初めて接続された相手先端末にファックスを送信しようとするときには、接続された相手先端末がファックス送信しようとする正しい相手先端末であるか否かを判断することができない。
【０００４】
しかも、上記のファクシミリ装置においては、表示部にメーカ名が表示された状態で操作者が操作パネル上のストップキーを押さないと、その相手先端末が正しい相手先端末であると制御部が判断してそのまま画像データを送信するようになっている。このため、初めて接続された相手先端末へファックス送信を行なおうとする場合、操作者が相手先端末のメーカ名を表示部で確認できないまま、画像データが誤った相手先端末に送信されてしまう虞があった。
【０００５】
この発明の目的は、発呼番号の入力間違いや通信上の原因により誤って接続された相手先端末への画像データ送信を有効に防止することができる通信端末装置を提供することにある。
【課題を解決するための手段】
【０００６】
上記目的を達成するため、請求項１に記載の発明は、画像データ送信のために接続された相手先端末から受信したコードデータに基づいて同相手側端末が自端末と同じメーカ製であるか否かを判別する判別手段と、この判別手段による判別結果を送り手側の操作者に報知するとともに画像データ送信の実行又は中止の選択操作を同操作者に促す報知手段と、画像データ送信の実行又は中止を前記操作者に選択操作させるための操作手段と、前記報知手段によって選択操作が促されている状態における前記操作手段に対する選択操作に基づき、画像データ送信を実行又は中止させる送信制御手段とを備えたことを特徴とする。
【０００７】
この発明によれば、送り手側の操作者は、画像データを送信するために接続された相手先端末が初めて接続する相手先端末であっても、その相手側端末が自端末と同じメーカ製であるか否かを画像データの送信前に知ることができる。そして、同操作者は、その相手先端末が正しい相手先端末であるか否かをその情報から判断するとともに、その判断結果に基づいて画像データ送信の実行又は中止を選択することができる。従って、発呼番号の入力間違いや通信上の原因により誤って接続された相手先端末への画像データの送信が有効に防止される。
【０００８】
請求項２に記載の発明は、請求項１に記載の発明において、前記コードデータに基づいて前記相手先端末が自端末と同じ製造国製であるか否かを判別する副判別手段を備え、
前記報知手段は、前記副判別手段による判別結果を操作者に報知するとともに画像データ送信の実行又は中止の選択操作を同操作者に促すことを特徴とする。
【０００９】
この発明によれば、送り手側の操作者は、接続された相手側端末が初めて接続する相手先端末であっても、その相手側端末が自端末と同じ製造国製であるか否かを画像データの送信前に知ることができる。そして、操作者は、その相手先端末が正しい相手先端末であるか否かをその情報から判断するとともに、その判断結果に基づいて画像データ送信の実行又は中止を選択することができる。従って、発呼番号の入力間違いや通信上の原因により誤って接続された相手先端末への画像データの送信が有効に防止される。
【００１０】
請求項３に記載の発明は、請求項１又は請求項２に記載の発明において、前記送信制御手段は、前記操作手段に対する選択操作が行われない状態における経過時間が設定時間を超えたときには、画像データ送信を中止させることを特徴とする。
【００１１】
この発明によれば、接続された相手先端末が自端末と同じメーカ製であるか否かを送り手側の操作者が知っても、画像データの送信の実行又は中止を同操作者が即座に判断できないときには、送り手側の操作者が不用意に画像データを送信しないようにすることができる。従って、誤って接続された相手先端末への画像データの誤送信がより有効に防止される。
【００１２】
請求項４に記載の発明は、請求項１〜請求項３のいずれか一項に記載の発明において、接続された相手側端末から受信したパスコードを、自端末に予め登録されているパスコードと照合し、両パスコードが一致したときに画像データの送信を許可する送信制限手段を備えたことを特徴とする。
【００１３】
この発明によれば、接続された相手側端末のパスコードと、自端末に予め登録されているパスコードとが一致するか否かに基づいて、その相手側端末が正しい相手側端末であるか否かが判断される。そして、その相手側端末が正しい相手側端末であったときにのみ、画像データの送信が許可される。誤って接続された相手先端末への画像データの送信がより有効に防止される。
【発明の効果】
【００１４】
この発明によれば、発呼番号の入力間違いや通信上の原因により誤って接続された相手先端末への画像データ送信を有効に防止することができる。
【発明を実施するための最良の形態】
【００１５】
以下、この発明に係る通信端末装置を複合機に具体化した一実施形態について、図１〜図５に従って説明する。この複合機は、コピー機能、スキャナ機能及びファクシミリ機能を備えている。
【００１６】
図４に示すように、複合機１０は、ＭＰＵ（Micro Processing Unit）１１、ＲＯＭ（Read Only Memory）１２、ワークメモリ１３、読取部１４、記録部１５、操作部１６、表示部１７、画像メモリ１８、コーデック（ＣＯＤＥＣ；Coder-Decoder ）１９、モデム（ＭＯＤＥＭ；Modulator-Demodulator）２０及びネットワーク制御装置（ＮＣＵ；Network Control Unit）２１等から構成され、これら各部１１〜２１はバス２２を介してそれぞれ接続されている。この実施形態では、ＭＰＵ１１及び表示部１７により報知手段が構成されるとともに、ＭＰＵ１１及び操作部１６により操作手段が構成されている。また、ＭＰＵ１１は、判別手段、送信制御手段、副判別手段及び送信制限手段である。
【００１７】
ＭＰＵ１１は、ＲＯＭ１２に記憶されているプログラムや各種情報に基づき、複合機１０の各部を制御する。ワークメモリ１３はフラッシュメモリ等からなり、複合機１０に関する各種情報を一時的に記憶する。フラットベッドスキャナ等から構成される読取部１４は、フラットベッドスキャナのプラテンガラス上に載置された原稿の画像を読み取って白黒二値のイメージデータを出力する。電子写真方式のプリンタよりなる記録部１５は、ファックス受信した画像や、コピーモードにおいて読取部１４で読み取った原稿の画像を、複数の用紙カセットのいずれかから引き出した用紙に記録する。
【００１８】
操作者により操作される操作部１６には、コピーモード、スキャナモード及びファックスモードを切り替えるモードキー（図示せず）、コピー動作、スキャナ動作又はファックス送信動作を開始させるためのスタートボタン（図示せず）、及び、電話番号等の数字を入力するためのテンキー（図示せず）が設けられている。また、操作部１６には、モード毎に各種設定を行うための機能キーを表示するタッチパネルディスプレィが設けられている。このタッチパネルディスプレィからなる表示部１７は、複合機１０の動作状態等の各種表示を行う。画像メモリ１８には、ファックス受信された画像データ、又は、ファックスモードにおいて読取部１４により原稿から読み取られた画像データが一時的に記憶される。また、画像メモリ１８には、コピーモード又はスキャナモードにおいて読取部１４により原稿から読み取られた画像データが一時的に記憶される。
【００１９】
コーデック１９は、ファックス送受信等のためにイメージデータの圧縮符号化及び復号を行う。モデム２０は、ファックス伝送制御手順に基づいて送信データの変調及び受信データの復調を行う。ネットワーク制御装置２１は、公衆電話回線との間の接続を制御するとともに、相手先端末の電話番号に対応したダイヤル信号を送出する機能、及び、着信を検出するための機能を備えている。
【００２０】
次に、ＲＯＭ１２に記憶されているプログラムによってＭＰＵ１１が実行するファックス送信処理を図１〜図３に示すフローチャートに従って説明する。このファックス送信処理は、ファックスモードにおいて原稿の画像が読取部１４によって読み取られるとともにその画像データが画像メモリ１８に蓄積された後に実行される。
【００２１】
ファックス送信処理においては、まず、ステップＳ（以下、単にＳと略記する。）１００において、閉域通信モードが設定されたか否かが判定される。この閉域通信モードとは、ファックス送信時に、回線接続された相手先通信端末に予め登録されているパスコードと、送り手側の通信端末、すなわち自端末に予め登録されているパスコードとを照合した上で画像データの送信を行うものである。すなわち、この閉域通信モードは、同一のパスコードが予め登録されている通信端末間だけで画像データの送受信を行うことができるようにすることにより、送り手側の操作者による発呼番号の入力間違いや通信上の原因によって回線接続された誤った相手先端末への画像データ送信を防止しようとするものである。
【００２２】
Ｓ１００で閉域通信モードが設定されていると判定されたときには、次にＳ１０１において、操作者のテンキー操作により発呼番号又は短縮番号が入力されたか否かが判定される。
【００２３】
Ｓ１０１において発呼番号又は短縮番号が入力されると、次にＳ１０２において、操作者によりスタートキーが押されたか否かが判定される。Ｓ１０２でスタートキーが押されたと判定されると、次にＳ１０３において、前記Ｓ１０１で指定された発呼番号が回線に送り出される。Ｓ１０３の終了後、次に、Ｓ１０４において、相手先端末からの被呼局識別信号（ＣＥＤ信号）の受信の有無に基づき、相手先端末に接続されたか否かが判断される。Ｓ１０４で相手先端末に接続されていないと判断されると、次にＳ１０５において相手先端末が話中であるか否かが判断されるとともに、話中であったときにはこの処理が一旦終了される。この場合には、その終了時点から所定時間経過後にＳ１０３からの処理が繰り返し実行される。そして、このＳ１０３からの処理を所定回数だけ実行しても自端末が相手先端末に接続されないときには、この処理が終了される。
【００２４】
また、Ｓ１０４で相手先端末に接続されたと判断されると、次にＳ１０６において、相手側端末に予め登録されているパスコードを同相手側端末から受信したか否かが判定される。そして、相手側端末からパスコードを受信すると、次にＳ１０７において、自端末に予め登録されているパスコードと、相手側端末から受信したパスコードとが照合される。そして、両パスコード同士が一致しなかったときには、接続された相手先端末が正しい相手側端末とは異なると判断され、このファックス送信処理が終了される。
【００２５】
一方、Ｓ１０７において、両パスコード同士が一致したときには、接続された相手先端末が正しい相手側端末であると判断される。この場合、次にＳ２００において、相手先端末からコードデータとしての非標準機能識別信号（以下、ＮＳＦ信号）を受信したか否かが確認される。Ｓ２００でＮＳＦ信号の受信を確認しないときには、Ｓ２０１とＳ２００との実行により、相手先端末に接続された時点からＮＳＦ信号を受信していない経過時間が所定の設定時間Ｔ１を超えたか否かが監視される。そして、その経過時間が設定時間Ｔ１を超えたときには、次にＳ２０９において、このファックス送信処理が送信エラーとなったことを示す表示が表示部１７においてなされた後に、このファックス送信処理が終了される。
【００２６】
一方、Ｓ２００でＮＳＦ信号の受信を確認したときには、次に、Ｓ２０２において、前記ＮＳＦ信号に含まれる相手先端末のメーカコード及び製造国コードが、自端末のメーカコード及び製造国コードと同じであるか否かが判別される。そして、相手先端末のメーカコード及び製造国コードが共に自端末のメーカコード及び製造国コードと一致したときには、例えば図５（ａ）に示すように、相手先端末の製造国及びメーカが自端末の製造国及びメーカと同じである旨のメッセージ１７ａが表示部１７に表示される。同時に表示部１７には、この相手先端末に対して画像データを送信するか否かの選択操作を送り手側の操作者に促すメッセージ１７ａが表示される。このとき、表示部１７には、画像データの送信の実行を送り手側の操作者に選択操作させるための機能キー１７ｂと、画像データの送信の中止を同じく送り手側の操作者に選択操作させるための機能キー１７ｃとが表示される。
【００２７】
また、Ｓ２０２において、相手先端末のメーカコードが自端末のメーカコードと一致しなかったときには、例えば図５（ｂ）に示すように、相手先端末のメーカが自端末のメーカと一致しない旨のメッセージ１７ａが表示部１７に表示される。同時に、表示部１７には、この相手先端末に対して画像データを送信するか否かの選択操作を操作者に促すメッセージ１７ａが表示される。このとき、表示部１７には、画像データの送信の実行を操作者に選択させるための機能キー１７ｂと、画像データの送信の中止を操作者に選択させるための機能キー１７ｃとが表示される。また、Ｓ２０２において、メーカコードは一致したものの相手先端末の製造国コードが自端末の製造国コードと一致しなかったときには、図５（ｂ）と同様に、相手先端末の製造国コードが自端末の製造国コードと一致しない旨のメッセージと、機能キー１７ｂ，１７ｃとが表示部１７に表示される。さらに、Ｓ２０２において、メーカコードと製造国コードが共に自端末のメーカコード及び製造国コードと一致しなかったときには、メーカコード及び製造国コードが自端末のメーカコード及び製造国コードと一致しない旨のメッセージと、機能キー１７ｂ，１７ｃとが表示部１７に表示される。
【００２８】
次にＳ２０３において、表示部１７に表示されたメッセージ１７ａによって画像データ送信の実行又は中止の選択操作が送り手側の操作者に促されている状態において、表示部１７に表示されている機能キー１７ｂ，１７ｃのいずれかが押されたか否かが判定される。そして、機能キー１７ｂ，１７ｃのいずれも押されていないと判定されると、次にＳ２０４において、Ｓ２０２でメッセージを表示した時点からの経過時間が、予め設定されている設定時間Ｔ２を超えたか否かが判定される。そして、Ｓ２０４において経過時間が設定時間Ｔ２を超えたと判定されると、前記Ｓ２０９が実行された後にこのファックス送信処理が終了され、画像データ送信が中止される。
【００２９】
一方、Ｓ２０３において、機能キー１７ｂ，１７ｃのいずれかが押されたと判断されると、次に、Ｓ２０５において、機能キー１７ｂ，１７ｃのうちのいずれが押されたかが判定される。そして、送信のための機能キー１７ｂが押されたと判定されたときには、送り手側の操作者が画像データを送ろうとした相手先端末と、現在接続されている相手先端末とが同一であると送り手側の操作者が判断したというように判定される。この場合、次にＳ２０６において、画像データが相手先端末に送信される。次に、Ｓ２０７において、相手先端末に手順終了信号（ＥＯＰ信号）を送信した後、相手先端末からのメッセージ確認信号（ＭＣＦ信号）の受信の有無が確認される。次に、Ｓ２０８において、相手先端末に切断命令信号（ＤＣＮ信号）が送信されて回線が切断される。
【００３０】
また、前記Ｓ２０５において、非送信のための機能キー１７ｃが送り手側の操作者によって押されたと判定されると、同操作者が画像データを送ろうとした相手先端末と、現在接続されている相手先端末とが異なっていると同操作者が判断したというように判定される。この場合、次に、前記Ｓ２０９の処理が実行された後、このファックス送信処理が終了され、画像データ送信が中止される。
【００３１】
また、前記Ｓ１００で閉域通信モードが設定されなかったときには図３にフローチャートを示す通常通信モードとなり、閉域通信モードにおけるＳ１０１〜Ｓ１０５，Ｓ２００〜Ｓ２０９において実行される処理と同じ処理がＳ３００〜Ｓ３１４において実行される。但し、この通常通信モードにおいては、閉域通信モードとは異なり、そのＳ１０６，Ｓ１０７において実行される自端末と相手先端末との間におけるパスコードの照合は行なわれない。この通常通信モードにおいても、閉域通信モードにおけるＳ２０２と同様に、相手先端末から受信したＮＳＦ信号から同相手先端末が自端末と同じメーカ製及び製造国製であるか否かを判別する処理と、その判別結果の表示及び画像データ送信の実行又は中止の選択操作を促す表示とがＳ３０７において実行される。また、閉域通信モードにおけるＳ２０３，Ｓ２０５と同様に、表示部１７にメッセージ１７ａを表示するとともに機能キー１７ｂ，１７ｃに対する選択操作に基づいて画像データ送信を実行又は中止させる処理がＳ３０８，Ｓ３１０において実行される。
【００３２】
以上のように、この実施形態の複合機１０においては、接続された相手先端末から受信したＮＳＦ信号（コードデータ）に基づき、同相手側端末が自端末と同じメーカ製及び製造国製であるか否かをＭＰＵ１１が判定する。そして、この判別結果を示すとともに画像データ送信の実行又は中止の選択操作を促すメッセージ１７ａが表示部１７に表示される。また、画像データ送信の実行又は中止を選択操作するための機能キー１７ｂ，１７ｃが表示部１７に表示される。そして、この機能キー１７ｂ，１７ｃに対する選択操作に基づいて、画像データ送信の実行又は中止が行われる。このため、送り手側の操作者は、画像データ送信を送信するために接続された相手側端末が初めて接続する相手側端末であっても、この相手先端末が自端末と同じメーカ製及び製造国製であるか否を画像データの送信前に知ることができる。そして、送り手側の操作者は、その相手先端末が正しい相手先端末であるか否かをその情報から判断するとともに、その判断結果に基づいて画像データ送信の実行又は中止を選択することができる。従って、発呼番号の入力間違いや通信上の原因により誤って接続された相手先端末への画像データ送信を有効に防止することができる。
【００３３】
また、画像データ送信の実行又は中止の選択操作を促すメッセージ１７ａを表示部１７に表示した時点から機能キー１７ｂ，１７ｃに対する操作が行われない状態における経過時間が設定時間Ｔ２を超えたときには、ＭＰＵ１１により画像データの送信が中止される。このため、相手先端末が自端末と同じメーカ製及び製造国製であるか否かを送り手側の操作者が知っても、画像データの送信の実行又は中止を即座に判断できないときには、同操作者が不用意に画像データを送信しないようにすることができる。従って、誤って接続された相手先端末への画像データの送信をより有効に防止することができる。
【００３４】
さらに、上記実施形態の複合機１０においては、送り手側の操作者により閉域通信モードが設定されると、回線接続された相手先端末から受信したパスコードと、自端末に予め登録されているパスコードとが照合される。そして、相手先端末から受信したパスコードが自端末のパスコードとが一致したとき、すなわち、その相手側端末が正しい相手側端末であったときにのみ、ＭＰＵ１１が画像データの送信を実行する。従って、誤って接続された相手先端末への画像データの送信をより有効に防止することができる。
【００３５】
なお、本実施形態は、次のように変更して具体化することも可能である。
・  報知手段を、表示部１７に代えて、相手先端末が自端末と同じメーカ製及び製造国製であるか否かを合成音声により送り手側の操作者に報知する音声生成部としてもよい。
【００３６】
・  相手先端末の製造国コードのみを自端末の製造国コードと照合する構成としてもよい。また、相手先端末のメーカコードのみを自端末のメーカコードと照合する構成としてもよい。
【００３７】
次に、上記各実施形態から把握される技術的思想を記載する。
・  画像データ送信のために接続された相手先端末から受信したコードデータに基づいて同相手側端末が自端末と同じ製造国製であるか否かを判別する判別手段と、この判別手段による判別結果を送り手側の操作者に報知するとともに画像データ送信の実行又は中止の選択操作を同操作者に促す報知手段と、画像データ送信の実行又は中止を前記操作者に選択操作させるための操作手段と、前記報知手段によって選択操作が促されている状態における前記操作手段に対する選択操作に基づき、画像データ送信を実行又は中止させる送信制御手段とを備えたことを特徴とする通信端末装置。このような構成によれば、発呼番号の入力間違いや通信上の原因により誤って接続された相手先端末への画像データ送信を有効に防止することができる。
【図面の簡単な説明】
【００３８】
【図１】一実施形態の複合機が実行するファックス送信処理の一部を示すフローチャート。
【図２】同じくファックス送信処理の一部を示すフローチャート。
【図３】同じくファックス送信処理の一部を示すフローチャート。
【図４】複合機の構成を示すブロック図。
【図５】（ａ），（ｂ）は共にメッセージ及び機能キーが表示された表示部を示す正面図。
【符号の説明】
【００３９】
１０…通信端末装置としての複合機、１１…報知手段及び操作手段を構成する判別手段、送信制御手段、副判別手段及び送信制限手段としてのＭＰＵ、１６…操作手段を構成する操作部、１７…報知手段を構成する表示部、Ｔ２…設定時間。
【図１】
2007184901.tif 000003
【図２】
2007184901.tif 000004
【図３】
2007184901.tif 000005
【図４】
2007184901.tif 000006
【図５】
2007184901.tif 000007